(57)【特許請求の範囲】
【請求項１】
デバイスツーデバイス通信を実行するために、ワイヤレスアクセスインタフェースを介して１つ又は複数の他の通信デバイスに信号を送信するように構成される送信機であって、インフラ機器の無線カバレッジエリア内にあるときに、前記ワイヤレスアクセスインタフェースが、モバイル通信ネットワークのインフラ機器に信号を送信するために提供される、送信機と、
前記ワイヤレスアクセスインタフェースを介して前記１つ又は複数の他の通信デバイスから信号を受信するように構成される受信機であって、前記インフラ機器の無線カバレッジエリア内にあるときに、前記ワイヤレスアクセスインタフェースが、前記モバイル通信ットワークの前記インフラ機器から信号を受信するために提供される、受信機と、
前記信号によって表されるデータを前記ワイヤレスアクセスインタフェースを介して送信又は受信するために、前記信号を送信又は受信する前記送信機及び前記受信機を制御するためのコントローラと、を備え、
所定の条件に従って、前記コントローラが、
カバレッジ外にあり、そのために前記受信機が、前記インフラ機器から信号を受信することができない、若しくは前記インフラ機器に信号を送信することができないときに、通信デバイス用の中継ノードの役割をし得る１つ若しくは複数の他のカバレッジ内通信デバイスから、１つ若しくは複数のビーコン信号を受信し、又は、
カバレッジ外にあるときに、通信デバイス用の中継ノードの役割をし得る１つ又は複数の他のカバレッジ内通信デバイスにビーコン信号を送信し、及び、前記インフラ機器にデータを送信するためのターゲット中継ノードの役割をする他のカバレッジ内通信デバイスのうちの１つに前記データを表す信号を送信し、又は、
ターゲット中継ノードの役割をする他のカバレッジ内通信デバイスのうちの１つから、前記インフラ機器から受信された、前記データを表す前記信号を受信するように、前記送信機及び前記受信機を組み合わせて構成され、
かつ前記コントローラが、
受信した前記ビーコン信号を比較し、
ターゲット中継ノードの役割をするように、前記比較結果に基づいて、カバレッジ内通信デバイスのうちの１つを選択するように構成される、通信デバイス。
【請求項２】
前記コントローラが、
通信デバイス用のソース中継ノードの役割をする第１のカバレッジ内通信デバイスに、データを表す信号を送信し、前記第１のカバレッジ内通信デバイスが、前記モバイル通信ネットワークの前記インフラ機器に信号を送信することが可能であり、
ソース中継ノードの役割をする前記第１のカバレッジ内通信デバイスから前記データを表す信号を受信し、前記ソース中継ノードが、前記モバイル通信ネットワークの前記インフラ機器のカバレッジエリア内にあり、前記ソース中継ノードが、前記インフラ機器に前記通信デバイスから受信される前記データを表す前記信号を送信し、前記インフラ機器から受信される前記データを表す前記信号を、前記通信デバイスに送信するように構成される、前記送信機及び前記受信機で構成される、請求項１に記載の通信デバイス。
【請求項３】
前記コントローラが、
前記ターゲット中継ノードの役割をするように、カバレッジ内通信デバイスのうちの選択された１つのカバレッジ内通信デバイスの、前記インフラ機器に通信するための中継ノードの役割をするカバレッジ内通信デバイスに標識を送信するように、前記送信機と組み合わせて構成される、請求項２に記載の通信デバイス。
【請求項４】
前記コントローラが、前記ターゲット中継ノードの役割をするように、カバレッジ内通信デバイスのうちの選択された１つのカバレッジ内通信デバイスの前記標識を、カバレッジ内通信デバイスのうちの選択された１つのカバレッジ内通信デバイスによる前記インフラ機器への送信のためのカバレッジ内通信デバイスのうちの選択された１つの前記カバレッジ内通信デバイスに送信するように、前記送信機と組み合わせて構成される、請求項３に記載の通信デバイス。
【請求項５】
前記コントローラが、前記ターゲット中継ノードの役割をするように、前記カバレッジ内通信デバイスのうちの選択された１つのカバレッジ内通信デバイスの前記標識を、前記カバレッジ内通信デバイスのうちの第１のカバレッジ内通信デバイスによる前記インフラ機器への送信のためのカバレッジ内通信デバイスのうちの第１のカバレッジ内通信デバイスに送信するように、前記送信機と組み合わせて構成される、請求項３に記載の通信デバ
イス。
【請求項６】
前記コントローラが、
中継ノードの役割をし得る前記１つ又は複数の他のカバレッジ内通信デバイスから受信される前記ビーコン信号の相対的強度を、ソース中継ノードの役割をする第１のカバレッジ内通信デバイスを介して前記インフラ機器に送信し、
ターゲット中継ノードとして通信デバイスのために動作するべき他のカバレッジ内通信デバイスのうちの１つのカバレッジ内通信デバイスの標識を、前記ソース中継ノードの役割をする第１のカバレッジ内通信デバイスを介して、前記インフラ機器から受信するように、前記送信機と組み合わせて構成される、請求項１に記載の通信デバイス。
【請求項７】
前記所定の条件が、第１のカバレッジ内通信デバイスから受信され、又は第１のカバレッジ内通信デバイスに送信される前記データの通信品質を含む、請求項１に記載の通信デバイス。
【請求項８】
前記所定の条件が、カバレッジ内通信デバイスのうちの第１のカバレッジ内通信デバイスから受信した信号の信号強度が、所定の閾値より下がることを含む、請求項１に記載の通信デバイス。
【請求項９】
通信デバイスからモバイル通信ネットワークのインフラ機器へデータを送信する、または通信デバイスによってインフラ機器からデータを受信する方法であって、
所定の条件に従って、
カバレッジ外にあり、そのために受信機が、インフラ機器から信号を受信することができない、若しくは前記インフラ機器に信号を送信することができないときに、前記通信デバイス用の中継ノードの役割をし得る１つ若しくは複数のカバレッジ内通信デバイスから、１つ若しくは複数のビーコン信号を受信すること、または、
カバレッジ外にあるときに、前記通信デバイス用の中継ノードの役割をし得る１つ又は複数の他のカバレッジ内通信デバイスにビーコン信号を送信すること、と、
前記インフラ機器にデータを送信するためのターゲット中継ノードの役割をする他のカバレッジ内通信デバイスのうちの１つに前記データを表す前記信号を送信すること、または、
ターゲット中継ノードの役割をする前記他のカバレッジ内通信デバイスのうちの１つから、前記インフラ機器から受信された、前記データを表す前記信号を受信すること、
受信した前記ビーコン信号を比較し、ターゲット中継ノードの役割をするように、前記比較結果に基づいて、カバレッジ内通信デバイスのうちの１つを選択すること、とを含む、方法。
【請求項１０】
前記方法は、
通信デバイス用のソース中継ノードの役割をする第１のカバレッジ内通信デバイスに、前記データを表す信号を送信し、第１のカバレッジ内通信デバイスが、前記モバイル通信ネットワークの前記インフラ機器に信号を送信すること、または、
ソース中継ノードの役割をする前記第１のカバレッジ内通信デバイスから前記データを表す信号を受信し、前記ソース中継ノードが、前記モバイル通信ネットワークの前記インフラ機器のカバレッジエリア内にあり、前記ソース中継ノードが、前記インフラ機器に通信デバイスから受信される前記データを表す前記信号を送信し、前記インフラ機器から受信される前記データを表す前記信号を、前記通信デバイスに送信すること、を含む、請求
項１１に記載の方法。
【請求項１１】
通信デバイスのための回路であって、
インフラ機器の無線カバレッジエリア内にあるときに、デバイスツーデバイス通信を実行するために、ワイヤレスアクセスインタフェースを介して１つ又は複数の他の通信デバイスに信号を送信し、前記ワイヤレスアクセスインタフェースを介して、モバイル通信ネットワークのインフラ機器に信号を送信するように構成される、送信回路と、
前記インフラ機器の無線カバレッジエリア内にあるときに、前記ワイヤレスアクセスインタフェースを介して１つ又は複数の他の通信デバイスから信号を受信し、前記ワイヤレスアクセスインタフェースを介して前記モバイル通信ネットワークのインフラ機器から信号を受信するように構成される、受信回路と、
前記信号によって表されるデータを前記ワイヤレスアクセスインタフェースを介して送信又は受信するために、前記信号を送信又は受信する前記送信機及び前記受信機を制御するための制御回路と、を備え、
前記送信回路は前記制御回路と共に、
通信デバイス用のソース中継ノードの役割をする第１のカバレッジ内通信デバイスに、前記データを表す信号を送信し、第１のカバレッジ内通信デバイスが、前記モバイル通信ネットワークの前記インフラ機器に信号を送信することが可能であり、
前記ソース中継ノードの役割をする第１のカバレッジ内通信デバイスから前記データを表す信号を受信するように構成され、前記ソース中継ノードが、前記モバイル通信ネットワークの前記インフラ機器のカバレッジエリア内にあり、前記ソース中継ノードが、前記インフラ機器に前記通信デバイスから受信される前記データを表す信号を送信し、前記インフラ機器から受信される前記データを表す信号を、前記通信デバイスに送信するように構成され、
所定の条件に従って、前記制御回路が、
カバレッジ外にあり、そのために前記受信機が、前記インフラ機器から信号を受信することができない、若しくは前記インフラ機器に信号を送信することができないときに、通信デバイス用の中継ノードの役割をし得る１つ若しくは複数の他のカバレッジ内通信デバイスから、１つ若しくは複数のビーコン信号を受信し、又は、
カバレッジ外にあるときに、通信デバイス用の中継ノードの役割をし得る１つ又は複数の他のカバレッジ内通信デバイスにビーコン信号を送信し、及び、
インフラ機器にデータを送信するためのターゲット中継ノードの役割をする他のカバレッジ内通信デバイスのうちの１つにデータを表す信号を送信し、又は、
ターゲット中継ノードの役割をする他のカバレッジ内通信デバイスのうちの１つから、前記インフラ機器から受信された、前記データを表す信号を受信するように構成され、
かつ前記制御回路が、
受信した前記ビーコン信号を比較し、
ターゲット中継ノードの役割をするように、前記比較結果に基づいて、カバレッジ内通信デバイスのうちの１つを選択するように構成される、回路。
【発明の詳細な説明】
【技術分野】
【０００１】
本開示は、通信デバイス、及び通信デバイスを用いてデータを通信するための方法に関し、特に、デバイスツーデバイス通信を行うように構成される通信デバイスに関する。
【背景技術】
【０００２】
３ＧＰＰで定義されたＵＭＴＳ及びＬＴＥ（Ｌｏｎｇ  Ｔｅｒｍ  Ｅｖｏｌｕｔｉｏｎ）アーキテクチャに基づくものなどのモバイル通信システムは、前の世代のモバイル通信システムによって提供される単純な音声及びメッセージングサービスよりも、高度なサービスをサポートすることが可能である。例えば、ＬＴＥシステムによって提供される改善された無線インタフェース及び拡張されたデータレートで、ユーザは、以前は固定回線データ接続を介してのみ利用可能であった、ビデオストリーミング及びビデオ会議などの高データレートアプリケーションを、モバイル通信デバイス上で楽しむことができる。
【０００３】
したがって、第４世代ネットワークを展開することへの要求は強く、これらのネットワークのカバレッジエリア、即ちネットワークにアクセス可能な地理的位置を、急速に拡大することが期待されている。一方、第４世代ネットワークのカバレッジ及び容量は、前の世代の通信ネットワークのそれらを著しく超えるが、そのようなネットワークによってサービスされ得るネットワーク容量及び地理的領域には、依然として制限がある。これらの制限は、例えば、ネットワークが通信デバイス間の高負荷及び高データレート通信を経験している状況において、又は通信デバイス間の通信が必要であるが、通信デバイスがネットワークのカバレッジエリア内にない可能性があるときに、特に関連があり得る。これらの制限に対処するために、ＬＴＥリリース１２では、ＬＴＥ通信デバイスがデバイスツーデバイス（Ｄ２Ｄ）通信を実行するための能力が導入されることとなる。
【０００４】
カバレッジエリアの内側にあるとき及び外側にあるときのいずれも、又はネットワークが機能していないときに、Ｄ２Ｄ通信は、極めて近くにある通信デバイスが互いに直接通信することを可能にする。このＤ２Ｄ通信能力は、ユーザデータが、基地局などのネットワークエンティティによって中継される必要をなくすことによって、ユーザデータが通信デバイス間でより効率的に通信されることを可能にし、また、極めて近くにある通信デバイスが、ネットワークのカバレッジエリア内にない可能性があるとしても、互いに通信することを可能にする。通信デバイスが、カバレッジエリアの内側及び外側の両方で動作する能力は、例えば、公衆安全通信などのアプリケーションに特に適したＤ２Ｄケイパビリティを組み込むＬＴＥシステムを作る。公衆安全通信は、デバイスが、混雑したネットワーク内、及びカバレッジエリアの外側にあるときに、互いに通信し続けることができることによる、高度な堅牢性を必要とする。
【０００５】
通信デバイスが、モバイル通信ネットワークによって提供されるカバレッジエリアの外側にあるときに、Ｄ２Ｄ通信技術は、デバイス間で通信するための構成を提供し得る一方で、通信デバイスの一方がカバレッジエリアの内側にあり、もう一方がカバレッジエリアの外側にあるときに、Ｄ２Ｄ通信技術は、モバイル通信ネットワークのカバレッジエリアを拡大するための構成を提供することもできる。
【発明の概要】
【課題を解決するための手段】
【０００６】
本技術の実施形態の第１の例によれば、デバイスツーデバイス通信を実行するために、ワイヤレスアクセスインタフェースを介して１つ又は複数の他の通信デバイスに信号を送信し、インフラ機器の無線カバレッジエリア内にあるときに、モバイル通信ネットワークのインフラ機器にワイヤレスアクセスインタフェースを介して信号を送信するように構成される、通信デバイスが提供される。通信デバイスは、ワイヤレスアクセスインタフェースを介して１つ又は複数の他の通信デバイスから信号を受信し、インフラ機器の無線カバレッジエリア内にあるときに、モバイル通信ネットワークのインフラ機器からワイヤレスアクセスインタフェースを介して信号を受信するように構成される、受信機を含む。コントローラが、通信デバイス用のソース中継ノードの役割をする第１のカバレッジ内通信デバイスに、データを表す信号を送信するように、送信機及び受信機を用いて構成され、第１のカバレッジ内通信デバイスが、モバイル通信ネットワークのインフラ機器に信号を送信すること、及びソース中継ノードの役割をする第１のカバレッジ内通信デバイスからデータを表す信号を受信することが可能である。ソース中継ノードは、モバイル通信ネットワークのインフラ機器のカバレッジエリア内にあり、ソース中継ノードは、通信デバイスから受信されるデータを表す信号をインフラ機器に送信し、インフラ機器から受信されるデータを表す信号を通信デバイスに送信するように構成される。所定の条件に従って、コントローラは、カバレッジ外にあり、そのために受信機が、インフラ機器から信号を受信することができない、若しくはインフラ機器に信号を送信することができないときに、通信デバイス用の中継ノードの役割をし得る１つ若しくは複数の他のカバレッジ内通信デバイスから１つ若しくは複数のビーコン信号を受信し、又はカバレッジ外にあるときに、通信デバイス用の中継ノードの役割をし得る１つ又は複数の他のカバレッジ内通信デバイスにビーコン信号を送信し、及びインフラ機器にデータを送信するためのターゲット中継ノードの役割をする、他のカバレッジ内通信デバイスのうちの１つにデータを表す信号を送信し、又はターゲット中継ノードの役割をする他のカバレッジ内通信デバイスのうちの１つから、インフラ機器から受信された、データを表す信号を受信するように構成される。
【０００７】
本技術の実施形態は、中継ノードの役割をするカバレッジ内通信デバイスを用いて、インフラ機器に、及び／又はインフラ機器からデータを通信しているカバレッジ外通信デバイスが、１つのカバレッジ内通信デバイスから別のカバレッジ内通信デバイスへ、所属を変更することが可能な構成を提供することができる。
【０００８】
本開示の様々なさらなる態様及び特徴は、添付の特許請求の範囲に定義され、通信デバイス、通信デバイスを使用して通信する方法を含む。
【図面の簡単な説明】
【０００９】
本開示の実施形態は、ここで、類似の部分が対応する参照番号で提示される添付図面を参照して、単なる例として説明される。
【図１】カバレッジ内通信デバイスが、インフラ機器を介して通信しており、少なくとも１つのカバレッジ外通信デバイスが、カバレッジ内通信デバイスのうちの１つを介して通信している、モバイル通信システムの概略図を提供する。
【図２】モバイル通信システムのワイヤレスアクセスインタフェースのダウンリンクの構造の概略図を提供する。
【図３】モバイル通信システムのワイヤレスアクセスインタフェースのアップリンクの概略図を提供する。
【図４】カバレッジ内通信デバイスを介してインフラ機器とアップリンク及びダウンリンク上で通信する、カバレッジ外通信デバイスの概略図を提供する。
【図５】複数の通信デバイスが、デバイスツーデバイス通信を実行するグループを形成する構成を示す、概略ブロック図を提供する。
【図６】ＬＴＥ規格の従来の構成による、モビリティ管理エンティティ（ＭＭＥ）／サービングゲートウェイ間のハンドオーバプロセスについてのメッセージ交換フロー図の例示的表現である。
【図７】カバレッジ外通信デバイスが、データをインフラ機器に通信するための所属を、ソース中継ノードの役割をする１つのカバレッジ内通信デバイスから、ターゲット中継ノードの役割をする別のカバレッジ内通信デバイスに変更する、プロセス例の一部の概略的表現である。
【図８】図７のプロセス例のさらなる一部である。
【図９】図７のプロセス例のさらなる一部である。
【図１０】図７に示されるプロセス例への代替プロセスの概略的表現である。
【図１１】図１０に示される代替プロセスのさらなる一部の概略的表現である。
【図１２】カバレッジ外通信デバイスが、データをインフラ機器に通信するための所属を、ソース中継ノードの役割をする１つのカバレッジ内通信デバイスから、ターゲット中継ノードの役割をする別のカバレッジ内通信デバイスに変更する、別のプロセス例の一部の概略的表現である。
【図１３】図１２に示されるプロセス例のさらなる一部である。
【発明を実施するための形態】
【００１０】
（従来の通信システム）
図１は、以下でさらに説明する開示の実施形態を実装するように適合され得る、ＬＴＥの原理に従って動作するモバイル通信ネットワーク／システム１００のいくつかの基本機能性を示す概略図を提供する。図１の様々な要素及びそれぞれの動作モードは、周知であり、３ＧＰＰ（ＲＴＭ）本体によって施行される関連した規格において定義され、主題についての多くの書籍、例えば、Ｈｏｌｍａ  Ｈ．及びＴｏｓｋａｌａ  Ａ［１］にも記載されている。以下で特に説明されない通信ネットワークの動作態様は、任意の既知の技術に従って、例えば、関連する規格に従って、実装されてもよいと理解されたい。
【００１１】
図１は、従来のモバイル通信システム１００の概略図を提供し、そこで、システムは、モバイル通信デバイス１０１と、インフラ機器１０２と、サービングゲートウェイノード１０３及び外部ネットワーク１０５へのゲートウェイを形成するパケットデータゲートウェイ１０４を含むコアネットワークとを含む。インフラ機器１０２は、例えば、基地局、ネットワーク要素、拡張ノードＢ（ｅＮｏｄｅＢ）、又は協調エンティティとも呼ばれてもよく、カバレッジエリア又はセル内の１つ又は複数の通信デバイスへのワイヤレスアクセスインタフェースを提供する。１つ又は複数のモバイル通信デバイスは、ワイヤレスアクセスインタフェースを用いて、データを表す信号の送信及び受信を介してデータを通信してもよい。インフラ機器１０２は、サービングゲートウェイノード１０３及びパケットデータゲートウェイ１０４を介して、外部ネットワーク１０５に通信可能にリンクされ、外部ネットワーク１０５は、通信デバイス１０１及びインフラ機器１０２から形成されるものと類似の構造を有する、１つ又は複数の他の通信システム若しくはネットワークに接続されてもよい。コアネットワークは、また、ネットワークエンティティによってサービスされる通信デバイスのための、認証、移動管理、課金などの機能性を提供してもよい。
【００１２】
図１のモバイル通信デバイスは、通信端末、ユーザ機器（ＵＥ）、端末装置などとも呼ばれてもよく、ネットワークエンティティを介して、同一の又は異なるカバレッジエリアによってサービスされる１つ又は複数の他の通信デバイスと通信するように構成される。これらの通信は、線１０６〜１１１によって表される双方向通信リンクを経てワイヤレスアクセスインタフェースを用いて、データを表す信号を送信及び受信することによって行われてもよい。ここで、矢印１０６、１０８、及び１１０は、ネットワークエンティティから通信デバイスへのダウンリンク通信を表し、矢印１０７、１０９、及び１１１は、通信デバイスからインフラ機器１０２へのアップリンク通信を表す。通信システム１００は、任意の既知のプロトコルに従って動作してもよい。例えば、いくつかの例では、システム１００は、３ＧＰＰ  ＬＴＥ（Ｌｏｎｇ  Ｔｅｒｍ  Ｅｖｏｌｕｔｉｏｎ）規格に従って動作してもよく、その場合に、インフラ機器１０２は、基地局又は拡張ノードＢ（ｅＮｏｄｅＢ（ｅＮＢ））と呼ばれてもよい。
【００１３】
また、図１に示される線１４０は、インフラ機器又はｅＮＢ１０２へ、及びインフラ機器又はｅＮＢ１０２から無線信号が通信され得る範囲内の最大範囲の表示を表す。理解されるように、線１４０は、単なる例示であり、実際には、伝播条件、及びしたがって無線信号がｅＮＢ１０２へ、及びｅＮＢ１０２から通信され得る範囲に関して、大きな変動がある。図１に示すように、一例では、無線信号がｅＮＢへ、及びｅＮＢから通信され得る範囲を表す線１４０の外側の領域に、通信デバイス１１２のうちの１つが移動している。本技術によれば、ｅＮＢ１０２の範囲の外側にある通信端末１１２は、ｅＮＢ１０２に、及びｅＮＢ１０２から依然としてデータを通信し得るが、これは、中継ノードの役割をするＵＥ１１４のうちの１つを介して、データを通信端末１１２に中継することによって実現される。
【００１４】
その内容が参照により本明細書に組み込まれる、ＰＣＴ／２０１４／０７８０８７、ＰＣＴ／２０１４／０７８０９３、ＰＣＴ／２０１４／０７９３３８、ＰＣＴ／２０１４／０７７４４７、ＰＣＴ／２０１４／０７７３９６、ＰＣＴ／２０１４／０７９３３５の番号が付された我々の係属中の国際特許出願に従って、ｅＮＢを介して通信されることなく、通信デバイスのグループ間で１つ又は複数の通信デバイスがデータを通信し得る、通信デバイスのグループを形成することを可能にするデバイス通信技術が提供される。そのような構成は、基地局又はｅＮＢによって提供されるカバレッジエリア内、又はカバレッジエリアなしで動作し得る。
【００１５】
一例では、３ＧＰＰは、技術報告ＴＲ３６．８４３に記載された「LTE  Device  to  Device  Proximity  Services−Radio  Aspects」と題する研究項目を完成した。したがって、本技術によれば、ｅＮＢ１０２のカバレッジエリアの外側にあるＵＥ１１２が、中継ノードの役割をすることによりカバレッジ内にあるＵＥのうちの１つを用いてｅＮＢ１０３に通信可能である構成が提供される。この目的を達成するために、ＵＥ１１２、１１４は、デバイスツーデバイス（Ｄ２Ｄ）通信を実行する。しかしながら、本技術によって対処される技術的問題は、カバレッジ外ＵＥ１１２が、中継ノードの役割をするべき別のカバレッジ内ＵＥ１１４にハンドオーバを行う構成に関係する。
【００１６】
カバレッジ外ＵＥが、中継ノードの役割をするカバレッジ内ＵＥを介してモバイル通信ネットワークと通信する状況においては、考慮され得るいくつかの移動シナリオがある。カバレッジ外ＵＥによる最初の中継選択後、ソース中継ＵＥからターゲット中継ＵＥへの選択及び接続する方法が必要である。そのような中継ＵＥ間のハンドオーバ又は再選択は、カバレッジ外ＵＥがターゲット中継ＵＥを発見する構成を必要とする。しかしながら、中継ノードの役割をするカバレッジ内ＵＥは、ダウンリンク信号、例えば、ディスカバリビーコン信号を常に送信していない可能性があるため、現在の又はソース中継ＵＥノード（中継又はｅＮＢ）及び潜在的ターゲット中継ノード（中継）からの測定値の比較を行うことができない可能性がある。ｅＮＢは、ＵＥが常に測定を実行できるように、常にダウンリンク共通チャネル及び同期チャネルを送信するため、これは、ソースｅＮＢからターゲットｅＮＢへの典型的なハンドオーバとは異なる。
【００１７】
したがって、本技術によって対処される技術的問題は、カバレッジ外ＵＥが、中継ノードの役割をする１つのカバレッジ内ＵＥから中継の役割をする別のカバレッジ内ＵＥに変更する構成に関する。以下の説明では、これらは、ソース中継ＵＥ及びターゲット中継ＵＥと呼ばれることとなる。
【００１８】
（ＬＴＥワイヤレスアクセスインタフェース）
以下の段落で提供される本技術の実施形態の例の説明をサポートするために、図２及び図３を参照して、ＬＴＥワイヤレスアクセスインタフェースの簡単な解説が、以下の段落で説明される。
【００１９】
３ＧＰＰで定義されたＬＴＥ（Ｌｏｎｇ  Ｔｅｒｍ  Ｅｖｏｌｕｔｉｏｎ）アーキテクチャに従って構成されたものなどのモバイル通信システムは、無線ダウンリンクのために直交周波数分割変調（ＯＦＤＭ）ベースのワイヤレスアクセスインタフェース（いわゆるＯＦＤＭＡ）、及び無線アップリンク上で単一搬送波周波数分割多重アクセス方式（ＳＣ−ＦＤＭＡ）を使用する。本技術によれば、図２に示すダウンリンク及び図３に示すアップリンク両方のためのワイヤレスアクセスインタフェースは、ｅＮＢを介してＵＥからモバイル通信ネットワークへデータを通信するため、及びｅＮＢからＵＥへデータを通信するための設備を提供することができるが、ｅＮＢを介して通信されることなく別の通信デバイスへのＤ２Ｄ通信を行うための通信リソースを提供することもできる。図２及び図３のワイヤレスアクセスインタフェースのダウンリンク及びアップリンクについて、それぞれここで説明する。
【００２０】
図２は、通信システムが、ＬＴＥ規格に従って動作しているときの、図１のｅＮｏｄｅＢによって、又はｅＮｏｄｅＢと関連して提供され得るワイヤレスアクセスインタフェースのダウンリンクの構造の簡略化した概略図を提供する。ＬＴＥシステムでは、ｅＮｏｄｅＢからＵＥへのダウンリンクのワイヤレスアクセスインタフェースは、ＯＦＤＭ（orthogonal  frequency  division  multiplexing）アクセス無線インタフェースに基づく。ＯＦＤＭインタフェースでは、利用可能な帯域幅のリソースは、複数の直交サブキャリアに周波数で分割され、データは、複数の直交サブキャリア上で並行して送信される。その場合に、１．２５ＭＨｚから２０ＭＨｚの間の帯域幅は、例えば、１２８から２０４８の直交サブキャリアに分割され得る。各サブキャリアの帯域幅は、任意の値をとり得るが、ＬＴＥでは、１５ＫＨｚに固定されている。図２に示すように、ワイヤレスアクセスインタフェースのリソースは、また、フレームに一時的に分割され、その場合に、フレーム２００は、１０ｍｓ続き、それぞれが１ｍｓの期間を有する１０個のサブフレーム２０１にさらに分割される。各サブフレームは、１４個のＯＦＤＭシンボルから形成され、ノーマル又は拡張サイクリックプレフィックスが、シンボル間干渉の減少のためにＯＤＦＭシンボル間で利用されているかどうかに応じて６個又は７個のＯＦＤＭシンボルをそれぞれが含む、２つのスロットに分割される。スロット内のリソースは、それぞれが１スロットの期間に対し１２個のサブキャリアを含むリソースブロック２０３に分割されてもよく、リソースブロックは、１個のＯＦＤＭシンボルにつき１つのサブキャリアにわたるリソースエレメント２０４にさらに分割される。ここで、各長方形２０４は、リソースエレメントを表す。ＬＴＥワイヤレスアクセスインタフェースのダウンリンク構造のさらなる詳細が、添付１において提供される。
【００２１】
図３は、図１のｅＮｏｄｅＢによって、又はｅＮｏｄｅＢと関連して提供され得るＬＴＥワイヤレスアクセスインタフェースのアップリンクの構造の簡略化した概略図を提供する。ＬＴＥネットワークでは、アップリンクワイヤレスアクセスインタフェースは、ＳＣ−ＦＤＭ（single  carrier  frequency  division  multiplexing）インタフェースに基づき、ダウンリンク及びアップリンクワイヤレスアクセスインタフェースは、周波数分割複信（ＦＤＤ）又は時分割複信（ＴＤＤ）によって提供されてもよく、その場合に、ＴＤＤ実装では、サブフレームは、事前定義されたパターンに従って、アップリンクサブフレーム及びダウンリンクサブフレーム間で切り替えを行う。一方、用いられる複信の形態に関わらず、共通のアップリンクフレーム構造が利用される。図３の簡略化された構造は、ＦＤＤ実装におけるそのようなアップリンクフレームを示している。フレーム３００は、期間１ｍｓの１０個のサブフレーム３０１に分割され、その場合に、各サブフレーム３０１は、期間０．５ｍｓの２個のスロットを含む。そのとき、各スロットは、７個のＯＦＤＭシンボル３０３から形成され、その場合に、サイクリックプレフィックス３０４が、ダウンリンクサブフレームでのやり方と同等のやり方で、各シンボル間に挿入される。図３に表されるＬＴＥアップリンクのさらなる詳細が、添付１において提供される。
【００２２】
（カバレッジ外通信デバイスのサポート）
ＬＴＥ（Ｌｏｎｇ  Ｔｅｒｍ  Ｅｖｏｌｕｔｉｏｎ）と呼ばれる３ＧＰＰによって管理される仕様に従って通信システムを定義する規格内でデバイスツーデバイス通信のためのいくつかの構成を提供することが、以前に提案されている。これらは、ＬＴＥリリース１２及びリリース１３で定義され、Ｄ２Ｄ通信のための設備を提供する。さらに概して、ＬＴＥ  Ｄ２Ｄ通信の実装に対する多数の可能な手法が存在する。例えば、ＵＥ及びｅＮｏｄｅＢ間の通信用に提供されるワイヤレスアクセスインタフェースは、Ｄ２Ｄ通信のために使用されてもよく、その場合に、ｅＮＢは、必要なリソースを割り当て、制御シグナリングがｅＮＢを介して通信されるが、ユーザデータは、ＵＥ間で直接送信される。
【００２３】
出願番号ＰＣＴ／２０１４／０７８０８７、ＰＣＴ／２０１４／０７８０９３、ＰＣＴ／２０１４／０７９３３８、ＰＣＴ／２０１４／０７７４４７、ＰＣＴ／２０１４／０７７３９６、ＰＣＴ／２０１４／０７９３３５の我々の同時係属中の国際特許出願には、図３に示すＬＴＥアップリンクを用いてデバイス間のＤ２Ｄ通信を行うための、開示された様々な技術がある。例えば、国際特許出願ＰＣＴ／２０１４／０７９３３８には、Ｄ２Ｄ通信のための議論のある解決法を実行するための構成が開示されている。同様に、アップリンク送信フレームのスケジューリング割り当て領域において送信されるスケジューリング割り当てメッセージを用いてリソースを割り当てるための構成が、国際特許出願ＰＣＴ／２０１４／０７８０９３に開示されている。国際特許出願ＰＣＴ／２０１４／０７７４４７に開示されるように、制限されたケイパビリティの通信デバイスが、マシンツーマシン通信デバイスを形成し得る構成は、限定されたリソースのセット内（仮想キャリアと呼ばれる）でデバイスツーデバイス通信を実行するように構成され得る。さらに、通信デバイスのグループ間のデバイスツーデバイス通信のために使用され得るリソースを識別するための構成が、国際特許出願ＰＣＴ／２０１４／０７９３３５に開示され、上記国際特許出願の全ての内容が、参照により本出願に組み込まれる。したがって、理解されるように、これらの同時係属中の国際特許出願は、カバレッジ外ＵＥ１１２が、図１の矢印１２０によって表される、中継ノード１１４の役割をするカバレッジ内ＵＥにフォワード又はアップリンク上で通信し、図１の矢印１２２によって表されるように、中継ＵＥ１１４からカバレッジ外ＵＥ１１２にリバース又はダウンリンク上で通信するための構成を開示する。
【００２４】
図４は、中継ノード１１４の役割をするカバレッジ内ＵＥを介した、カバレッジ外ＵＥ１１２とｅＮＢ１０２との間の通信経路の概略ブロック図を示す。図４に示すように、カバレッジ外ＵＥ１１２は、送信機４０１、受信機４０２、並びに、中継ノードの役割をするカバレッジ内ＵＥ１１４への信号の送信及び受信を制御するコントローラ４０４を含む。アップリンク信号は、図１に示す矢印に対応する矢印１２０によって表され、ダウンリンク信号は、図１に示す矢印に対応する矢印１２２によって示される。中継ＵＥ１１４は、従来型のＵＥであってもよく、したがってこれも、送信機４０１、受信機４０２、及びコントローラ４０４を含む。中継ノード１１４の役割をするカバレッジ内ＵＥは、従来の構成に従って動作するが、矢印１０７によって示されるようにアップリンク上でｅＮＢ１０２に信号を送信し、矢印１０６によって表されるようにダウンリンク上でｅＮＢ１０２から受信される信号を受信する。ｅＮＢ１０２は、送信機４０４、受信機４０８、及びコントローラ４１０を含む。コントローラ４１０は、図２及び図３に示すワイヤレスアクセスインタフェースに従って、ダウンリンク及びアップリンク上での信号の送信及び受信をスケジューリングするためのスケジューラを含んでもよい。
【００２５】
上記で説明したように、本技術の実施形態は、Ｄ２Ｄ通信技術を利用することによって、ｅＮＢのカバレッジを拡大するための構成を提供することができる。適用例が図５に提示されている。図５では、複数の通信デバイス５０１、５０２、５０４、１１４が、通信デバイス６０４のグループを形成し、そのグループには、上記で説明した理由からＤ２Ｄ通信が望ましい。図５に表されるように、通信デバイス５０１、５０２、５０４は、ｅＮＢ又は基地局６０２の、線６０１によって表されるカバレッジエリアの外側にある。したがって、ｅＮＢ６０２は、カバレッジ外通信デバイス５０１、５０２、５０４との間でいかなる通信も形成又は制御することができない。本技術によれば、複数の通信デバイス６０４は、それらがｅＮＢ１０２のカバレッジ内にあろうとカバレッジ外にあろうと、Ｄ２Ｄ通信を実行し得る。図５に示すように、デバイス６０４のグループは、ＵＥ５０１、５０２、５０４を含み、それらは、カバレッジ内のＵＥ１１４のうちの１つを有するｅＮＢ６０２のカバレッジ外にある。この目的を達成するため、カバレッジ内ＵＥ１１４は、中継ノードの役割をするように動作している。したがって、一例では、カバレッジ外ＵＥ５０１、５０２、５０４は、これらのカバレッジ外ＵＥ５０１、５０２、５０４のそれぞれに対し基地局の役割をする中継ノード又はカバレッジ内ＵＥ１１４を有する仮想セルを形成してもよい。したがって、破線５１０は、カバレッジ内ＵＥ１１４によって形成される仮想セルのカバレッジエリアを示す。一例では、制御プレーンが仮想セルによって管理されるように、全ての制御プレーンシグナリングが、中継ノードの役割をするカバレッジ内ＵＥ１１４を介してｅＮＢ１０２に通信される。
【００２６】
上記で説明したように、本技術の実施形態は、中継ＵＥの役割をする１つのソース及びカバレッジ内ＵＥを介して通信しているカバレッジ外ＵＥが、そのソース中継ＵＥとの通信リンクがもはや存続できないためにソース中継ＵＥがもはや中継ノードの役割をすることができないとき、ソース中継ＵＥの代わりに中継ノードの役割をする、別のターゲットカバレッジ内ＵＥを識別可能な構成を提供することができる。したがって、本技術の実施形態は、カバレッジ外ＵＥが、中継ノードの役割をする１つのカバレッジ内ＵＥから別のカバレッジ内ＵＥへハンドオーバを実行する、所属を変更することが可能な構成を提供することができる。現在使用される基地局から受信するビーコン信号が所定のレベルより下がる場合に、どのｅＮＢがより良好なリンク品質を提供するかを判断するために、従来、ＵＥは、ｅＮＢの基地局によって送信されるビーコン信号の測定を実行している。
【００２７】
本技術の実施形態は、一例では、以下を提供することができる。
・受信信号の測定値は、現在の若しくはソース中継ＵＥによって行われ、又は現在の若しくはソース中継ＵＥに報告される。
・次いで、ソース中継ＵＥは、潜在的なターゲット中継が、直接又はｅＮＢを介してのいずれかによりハンドオーバディスカバリビーコンを送信することをトリガする。
・次いで、カバレッジ外ＵＥは、潜在的なターゲット中継ＵＥの測定を実行し、ソース中継ＵＥに結果を報告する。
・ターゲット中継へのハンドオーバは、報告された測定値に基づいてトリガされる。
・代替的には、測定値が報告されず、カバレッジ外ＵＥが、ターゲット中継ＵＥの再選択を自律的に実行する。
【００２８】
代替的な構成によれば、本技術の実施形態は、以下を提供することができる。
・測定は、現在の又はソース中継ＵＥから送信されるビーコン信号のカバレッジ外ＵＥによって行われる。
・カバレッジ外ＵＥは、測定値が閾値より低いときに、ビーコン信号送信をトリガする。
・潜在ターゲット中継ＵＥ及び現在のソース中継ＵＥの役割をすることができるカバレッジ内ＵＥは、カバレッジ外ＵＥによって送信されるビーコン信号を監視する。中継ＵＥの役割をすることができるカバレッジ内ＵＥの全てが、カバレッジ外ＵＥのビーコン信号の測定を実行し、結果をｅＮＢに報告することができる。
・次いで、ターゲット中継ＵＥへのハンドオーバは、新たな又はターゲットＵＥの役割をすることができるカバレッジ内ＵＥによって測定された、カバレッジ外ＵＥからのビーコン信号の報告された測定値に基づいてトリガされる。
・ハンドオーバコマンドは、ソース中継ＵＥによって送信されてもよい。又は、別の手法では、ターゲット中継ＵＥから「ＰＵＬＬ」メッセージを送信することであってもよく、それは、カバレッジ外ＵＥの代わりにネットワーク中継側から来る最初のアクセスメッセージを用いることを除いて、再選択とほぼ同様である。
【００２９】
（ＭＭＥ／サービングゲートウェイ間ハンドオーバ）
本技術の実施形態の例のより良い理解をもたらすために、ＵＥによるソースｅＮＢ６０６からターゲットｅＮＢ６０８への従来のハンドオーバ技術の簡潔な説明が、以下の段落で図６を参照して提供される。図６は、ｅＮＢ６０６及び６０８間の、ＬＴＥ用の現在のハンドオーバ手続きのメッセージフロー図を提示する。図６に示すように、ＵＥ６０５は、まず、測定制御メッセージＭ１を受信し、次いで、動作Ｓ１によって示されるＵＥ６０５への、及びＵＥ６０５からのパケットデータ送信を行う。アップリンク割り当てメッセージでは、ソースｅＮＢ６０６は、リソースの割り当てをＵＥ６０５に送信する。ＵＥ６０５は、測定実行後、測定報告メッセージをソースｅＮＢ６０６に送信する。プロセスステップ６１２では、ＵＥは、ターゲット基地局、この場合はターゲットｅＮＢ６０８にハンドオーバするかどうかを決定する。次いで、ソースｅＮＢ６０６は、メッセージＭ４においてハンドオーバ要求メッセージを送信し、ターゲットｅＮＢは、アドミッション制御ステップＳ５を実行する。ターゲットｅＮＢ６０８は、ハンドオーバ要求確認応答Ｍ６をソースｅＮＢ６０６に送信し、次いで、ソースｅＮＢ６０６は、ダウンリンク割り当てメッセージ６１４をＵＥ６０５に送信する。次いで、ＲＲＣ収集再確認及びモビリティ制御情報が、先のハンドオーバに備えて、メッセージＭ７においてソースｅＮＢ６０６によりＵＥ６０５へ送信される。ステップ６１６、６１８において、ＵＥ６０５は、古いセルからデタッチして新たなセルと同期し、ターゲットｅＮＢを介した送信のためにデータをバッファする。メッセージＭ８において、ソースｅＮＢ６０６が、状態遷移を送信し、送信ステップ６２０で転送するデータによって続く。次いで、ターゲットｅＮＢ６０８は、ＭＭＥ６２４からの命令で、ダウンリンク送信６２２のためにソースｅＮＢ６０８からパケットをバッファする。次いで、ＵＥは、同期メッセージＭ９を送信し、リソースのアップリンク割り当てメッセージＭ１０を受信し、メッセージＭ１０は、ＲＲＣ接続確認の反復メッセージＭ１１によって確認応答される。プロセスステップＳ３で、ｅＮＢは、データパケットをターゲットｅＮＢへ、及びターゲットｅＮＢからサービングゲートウェイへ送信する。次いで、ターゲットｅＮＢ６０８は、経路切替要求をＭＭＥ６２４へ送信し、ＭＭＥ６２４は、メッセージＭ１３において、修正されたベアラ要求をサービングゲートウェイ６３０に送信する。ステップＳ１４で、次いで、サービングゲートウェイは、メッセージＳ４においてソースｅＮＢ６０１に送信されるダウンリンク経路を切り替える。次いで、ソースｅＮＢは、ステップＳ６でエンドマーカメッセージをターゲットｅＮＢ６０２に送信し、データパケットは、ターゲットｅＮＢからサービングゲートウェイＳ８に送信される。次いで、サービングゲートウェイ６３０は、修正されたベアラ要求メッセージＭ１５をＭＭＥ６２４に送信し、次いで、ＭＭＥ６２４は、経路切替要求確認応答メッセージＭ１６をターゲットｅＮＢ６０８に送信し、ターゲットｅＮＢ６０８は、ＵＥコンテキストリリースメッセージＭ１７をソースｅＮＢ６０６に送信する。次いで、ソースｅＮＢ６０６は、ステップＳ１０において、リリースリソースプロセスを実行する。
【００３０】
図６に示すフロー図から理解されるように、ここでいくつかのステップ及びプロセスが、ソースｅＮＢ６０６からターゲットｅＮＢ６０８へのハンドオーバに関連して、従来通りに形成されている。図２及び図３に示すワイヤレスアクセスインタフェースを介して動作及び通信するように構成されるＵＥが、１つの中継ノードから別の中継ノードへのハンドオーバプロセスを実行するように適合されなければならないため、技術的な問題がそのときに提示される。さらに、中継ノードが移動可能である可能性があり、それによってカバレッジ外及びカバレッジ外のＵＥのグループは、これらのＵＥが動き回るのにつれて動的に変化し得るため、中継ノードそれ自体が変動している可能性がある。したがって、本技術によれば、中継ＵＥ間のハンドオーバは、図６に示すものに類似の手続きに従うべきであり、主な２つの違いは、ＵＥが、測定を（上記ステップ１の前に）実行できるように、Ｄ２ＤＳＳがトリガされる必要があること、並びに、ソース及びターゲットが、ホストｅＮＢによってそれぞれ制御される中継ＵＥであるように、ＵＥ及びｅＮＢ間のシグナリンクが、中継される必要があることである。
【００３１】
したがって、本技術は、ＵＥへ、及びＵＥからの最も利用可能な通信経路に従って、中継ノードの役割をする異なるカバレッジ内ＵＥを、カバレッジ外ＵＥ１１２が選択することを可能にする構成を提供する。一例では、図７、８、９、１０、及び１１に表されるように、中継ノードの役割をする現在のカバレッジ内ＵＥは、ＵＥによって検出され得るハンドオーバディスカバリビーコンを送信するように、中継ノードの役割をするためのトリガ潜在ターゲットを動作させる。図１０、１１、及び１２に示す第２の例のように、現在のソース中継ＵＥの測定値が所定の閾値より下がるときに、カバレッジ外ＵＥそれ自体が、ビーコン信号送信をトリガする。これらの実施形態については、以下の項で説明する。
【００３２】
（ハンドオーバ測定のための中継Ｄ２ＤＳＳのトリガ）
図７は、本技術の実施形態の説明の例を提供し、それは、リリース１３のＵＥネットワーク向け中継ケースのための、ソース及びターゲット中継ＵＥ間のハンドオーバに適用可能である。
【００３３】
ステップ１で、ＵＥは、デバイスツーデバイス同期信号（Ｄ２ＤＳＳ）及びデータを、中継ノードの役割をするカバレッジ内ＵＥ１１４（中継ＵＥ）に送信する。ステップ２で、中継ＵＥ１１４は、受信信号強度指標などの、受信したＤ２ＤＳＳの測定を行う。一例では、中継ＵＥ１１４は、Ｄ２ＤＳＳを送信してもよく、カバレッジ外ＵＥ１１２は、中継ＵＥ１１４によって送信されたＤ２ＤＳＳの測定を行い、次いで、受信信号強度指標などの任意の測定値を、送信されているデータと共に中継ＵＥ１１４に報告する。本技術によれば、したがって、無線品質が、カバレッジ外ＵＥ１１２と中継ＵＥ１１４との間のリンク上で測定されることを保証するための構成が提供される。
【００３４】
次いで、ステップ３で、中継ＵＥ１１４が、ｅＮＢ１０２に測定値の報告を返すこととなる。上記説明によれば、ＵＥが、まず、現在のサービングセル上で測定を行い、ビーコン信号などの測定信号の受信信号強度が閾値より下がるときに、報告を返す点において、ステップ１、２、及び３は、従来のＬＴＥ動作に適合している。次いで、これは、図７のステップ１をトリガし得る。他の代替的なステップは、ステップ１の間に周波数内測定又は周波数間測定を実行すること、及び、例えば従来の構成に従ってイベントＡ３を報告することを含む。報告された近隣セルのレベル及び周波数は、中継をアクティブ化するかどうかの決定を行う際に考慮されてもよい（例えば、ハンドオーバのために報告された近隣の適当なｅＮＢがないときにのみ、中継がアクティブ化される）。しかしながら、周波数間測定は、イベントＡ２に基づいて可能にされてもよい。
【００３５】
図８に示すように、ステップ４で、ｅＮＢ１０２は、例えば、ＲＲＣシグナリングを用いて、Ｄ２ＤＳＳの送信を開始するように、中継ノードの役割をする潜在的なカバレッジ内ＵＥに命令する。ステップ５で、次いで、ＵＥは、ソース中継ＵＥ１１４から測定コマンドを受信して、測定を開始する。一例では、測定は、自動的に開始されてもよく、それによって、シグナリングのオーバヘッド及び遅延が減少することとなる。カバレッジ外ＵＥ１１２には、例えば、カバレッジ内ＵＥから形成される、中継の「アクティブセット」及び「監視対象セット」が提供されてもよい。ステップ６で、カバレッジ外ＵＥ１１２は、測定結果をソース中継ＵＥ１１４に報告する。一例では、報告を中継ＵＥ１１４に返すことは、別の中継が、ソース中継ＵＥよりも良好になったことを検知することなどに基づいて、トリガされたイベントであってもよい。又は、それが、一回限りの若しくは周期的な測定であってもよい。中継ＵＥは、例えば、Ｄ２ＤＳＳインデックス、識別子、又はセル（ｅＮＢ）内の中継を一意に識別するコードを用いて識別される。
【００３６】
図９に示すように、ステップ７で、ソース中継ＵＥ１１４によって受信された測定報告は、カバレッジ外ＵＥ１１２から直接、測定報告メッセージを中継することによって、又は、新たに識別されたターゲット中継ＵＥを単に示すことによって、ｅＮＢ１０２に通信される。この後者の例は、ソース中継ＵＥ１１４又はカバレッジ外ＵＥ１１２が、ターゲット中継ＵＥを既に選択したことを示す。ステップ８は、カバレッジ外ＵＥ１１２に接続準備されるように、ターゲット中継ＵＥを構成し、ハンドオーバコマンドをソース中継ＵＥ１１４に提供する。
【００３７】
ステップ１０で、ＵＥは、新たな中継ＵＥ９００を（ターゲット中継ＵＥとして）選択し、手続きは完了する。一例では、カバレッジ外ＵＥ１１２は、ｅＮＢ間ハンドオーバに類似の「ハンドオーバ完了」メッセージを、新たな中継ＵＥ９００に提供してもよい。
【００３８】
代替例として、ステップ８は、シグナリング及び遅延を減少させるために、ステップ４の一部として予め（さらに効率的に）行われてもよい。即ち、潜在的なターゲット中継ＵＥ１１４は、実施形態の一例では、Ｄ２ＤＳＳを送信するように命令される前に、新たな中継ＵＥ９００の役割をする準備をするように構成されてもよい。これが、ステップ７の測定報告がｅＮＢに送信される必要がない場合であれば、むしろ、ステップ６の測定報告に応答して、ステップ９のハンドオーバコマンドがソース中継ＵＥ１１４によって送信される。この構成の例は、図１０及び図１１に示す図によって示される。
【００３９】
図１０及び図１１から理解され得るように、ハンドオーバ測定のための中継Ｄ２ＤＳＳの送信は、ハンドオーバの事前準備のためにトリガされる。図１０に見られるように、カバレッジ外ＵＥ１１２は、ステップ１で、受信信号強度（ＲＳＲＰ）が、所定の閾値より下がったことを検出し、次いで、それは、ステップ２のソース中継ＵＥ１１４への測定報告をトリガし、ステップ３で、測定報告は、ｅＮＢ１０２に報告される。ハンドオーバのための事前準備は、ｅＮＢ１０２とのシグナリング、及び遅延をも減少させることにより、中継ノードをソース１１４からターゲット９００に変更する、より効率的な方法を提供する。図１１に示すように、一例では、ソース中継ＵＥ１１４からターゲット中継ＵＥ９００に自動的に切り替えてもよく、それは、ハンドオーバに類似のステップ６の実行ではなく、セル再選択に類似している。ターゲット中継ＵＥの全てが、ＵＥへの接続準備を行い、この新たな中継ＵＥ９００の自動選択が可能であるため、これによって遅延がさらに減少し得る。任意のコアネットワークコンテキスト情報の移転は、他のネットワークエンティティと組み合わせたｅＮＢによって完全に対処される。新たな中継ＵＥ９００は、実際に、新たに接続するＵＥとしてこれを扱うこととなる。しかしながら、いくつかの例では、コンテキスト情報を確立する最初の段階は、ｅＮＢ１０２によって提供されているカバレッジ外ＵＥ１１２の事前知識によって異なってもよい。一度、カバレッジ外ＵＥ１１２が、新たな中継ＵＥ９００を選択し、新たな中継ＵＥ９００への標識を提供すると、ｅＮＢ１０２は、ｅＮＢ１０２及びコアネットワーク内のソース中継ＵＥ１１４の知識に基づいて、コンテキストを移転することができる。要約すると、上記で特定された２つの手法は、
・Ｄ２ＤＳＳの受信信号強度に従って、カバレッジ外ＵＥが、ｅＮＢからの命令なしで自動的に新たな中継ＵＥを選択する、セル自動再選択型構成、又は
・ｅＮＢが、ターゲット中継ＵＥにハンドオーバするようにＵＥに指示する、ハンドオーバ手続きである。
【００４０】
これらの選択肢のそれぞれは、異なる利点をもたらす。例えば、セル再選択手続きは、シグナリングオーバヘッドを減少させる手法を提供し得るが、適切なコンテキスト情報を確立するためには、ハンドオーバのような手続きを用いることが好ましい場合がある。
【００４１】
（ハンドオーバ測定のためのＤ２ＤＳＳのカバレッジ外ＵＥによる送信）
本技術の別の実施形態によれば、候補中継ＵＥによって送信されているビーコン信号（Ｄ２ＤＳＳ）ではなく、カバレッジ内ＵＥ１１４からの中継ＵＥの変更に備えて、カバレッジ外ＵＥ１１２がビーコン信号を送信する構成が提供される。この例によると、ソース中継ＵＥ１１４とカバレッジ外ＵＥ１１２との間の遅延及びシグナリングメッセージの量を潜在的に減少させることにおいて、利点がもたらされる。シグナリングメッセージの通信は、潜在的に劣悪な無線リンク上であってもよい。しかしながら、潜在的に劣悪な無線リンク上で送信される遅延及びシグナリングメッセージの減少は、シグナリングメッセージの増加を犠牲にする可能性がある。増加するシグナリングメッセージは、任意の潜在的な中継１０１、９００とｅＮＢ１０２との間で送信される必要があり、測定報告である。追加のシグナリングは、ｅＮＢ１０２のカバレッジ内の中継ＵＥ１０１、９００のみによって行われるため、この実施形態の例は、より堅牢であってもよく、それは、カバレッジ外ＵＥ１２２が外に移動することに関連するソース中継ＵＥ１１４を介した測定報告の送信よりも誤りが少ない可能性がある。カバレッジ外ＵＥ１１２から送信されるビーコン信号（Ｄ２ＤＳＳ）の良好な信号強度を測定している中継ＵＥ１０１、９００のみが、報告される必要がある。したがって、シグナリングオーバヘッドは、減少し得る。再選択型の手法が可能でない場合があるが、ＵＥが、ソース中継との通信を失った後で、ターゲット中継がＵＥに接続することは可能である可能性がある。
【００４２】
図１２及び図１３は、本技術の例示的な実施形態を提供する。図１２に示すように、第１のステップ１として、カバレッジ外ＵＥ１１２は、基準電力の受信信号強度が、所定の閾値より下がったことを検出し、したがって、それが、カバレッジ外ＵＥ１１２が新たな中継ＵＥの選択を開始するプロセスをトリガする。図７〜図１１を参照して上述した実施形態の例とは対照的に、次いで、カバレッジ外ＵＥ１１２は、中継ノードの役割をし得るカバレッジ内ＵＥ６０４のそれぞれに、ステップ２でビーコン信号を送信する。ステップ３で、カバレッジ外ＵＥ１１２から受信したビーコン信号の信号強度を表す、測定された参照信号受信電力（ＲＳＲＰ）が、利用可能なカバレッジ内ＵＥのそれぞれによって、ｅＮＢ１０２に報告される。次いで、ｅＮＢは、カバレッジ内ＵＥのそれぞれからの結果を比較し、これらのうちの１つをターゲット中継ＵＥ９００となるように選択する。
【００４３】
図１３に示すように、ステップ４で、カバレッジ内ＵＥのうちのどれが中継ＵＥ９００の役割をするべきかを決定したｅＮＢ１０２は、ハンドオーバコマンドをターゲット中継ＵＥ９００に送信する。プロセスステップ４によると、ソース中継ＵＥ１１４からのカバレッジの潜在的減少に対処するために、ハンドオーバコマンドは、ソース中継ＵＥ１１４ではなく、ターゲット中継ＵＥ９００を介して送信される。したがって、カバレッジ外ＵＥ１１２が、既知のダウンリンクの通信リソースにおいてハンドオーバコマンドを受信し得るため、このプロセスは、従来のハンドオーバコマンドとは異なる。例えば、ソース中継ＵＥ１１４のために構成された同一のダウンリンク通信リソースは、ターゲット中継ＵＥ９００が、「ＰＵＬＬ」メッセージのようなものを用いて、中継変更／ハンドオーバを完了するために使用され得る。この実施形態の例によれば、中継ノードの役割をし得る複数のカバレッジ内ＵＥではなく、カバレッジ外ＵＥ１１２のみが、ビーコン信号を送信するため、ビーコン信号の送信に必要な可能性があるＤ２Ｄ通信リソース量の減少が達成され得る。さらに、シグナリングメッセージ量の減少が、Ｄ２Ｄ通信において達成され得る。
【００４４】
（要約）
上記の説明から、本技術の実施形態は、以下を提供し得ると理解されたい。
・ハンドオーバ／中継再選択のための測定値評価と共に使用する、複数のターゲット中継ビーコン信号をオンにする方法。
・中継は、Ｄ２ＤＳＳ／ビーコンを連続的に送信する必要はなく、それによって中継のリソース及び電池を節約する。
【００４５】
本発明の様々なさらなる態様及び特徴は、添付の特許請求の範囲に定義され、請求項の従属性について列挙されている特定の組み合わせ以外の従属項の特徴の様々な組み合わせは、独立請求項のものを用いて行われてもよい。改変はまた、本明細書において本発明の範囲から逸脱することなく記載された実施形態に対してなされ得る。例えば、特徴は特定の実施例に関連して説明されたように見えるかもしれないが、説明され実施形態の様々な特徴を認識するであろう当業者は、本開示に従って組み合わせてもよい。
【００４６】
（添付１）
図２に提示するＬＴＥワイヤレスアクセスインタフェースの簡略化した構造は、また、各サブフレーム２０１の例示を含み、各サブフレーム２０１は、制御データ送信用の制御領域２０５、ユーザデータ送信用のデータ領域２０６、所定のパターンに従って制御及びデータ領域に点在する参照信号２０７及び同期信号を含む。制御領域２０４は、物理ダウンリンク制御チャネル（ＰＤＣＣＨ）、物理制御フォーマット指標チャネル（ＰＣＦＩＣＨ）、及び物理ＨＡＲＱ指標チャネル（ＰＨＩＣＨ）などの、制御データ送信用のいくつかの物理チャネルを含んでもよい。データ領域は、物理ダウンリンク共有チャネル（ＰＤＳＣＨ）、及び物理ブロードキャストチャネル（ＰＢＣＨ）などの、データ送信用のいくつかの物理チャネルを含んでもよい。これらの物理チャネルは、広範囲の機能性をＬＴＥシステムに提供するが、リソース割り当て及び本開示に関して、ＰＤＣＣＨ及びＰＤＳＣＨが最も関連する。ＬＴＥシステムの物理チャネルの構造及び機能に関するさらなる情報については、［１］において理解され得る。
【００４７】
ＰＤＳＣＨ内のリソースは、ｅＮｏｄｅＢによってサービスされているＵＥに、ｅＮｏｄｅＢによって割り当てられてもよい。例えば、ＵＥが以前に要求したデータ、又は無線リソース制御（ＲＲＣ）シグナリングなどのｅＮｏｄｅＢによってＵＥにプッシュされているデータを、ＵＥが受信し得るように、ＰＤＳＣＨのいくつかのリソースブロックが、ＵＥに割り当てられてもよい。図２では、ＵＥ１は、データ領域２０６のリソース２０８、ＵＥ２リソース２０９及びＵＥリソース２１０を割り当てられる。ＬＴＥシステムにおけるＵＥは、ＰＤＳＣＨの利用可能なリソースの断片を割り当てられることがあり、したがって、ＰＤＳＣＨ内の関連するデータのみが検出及び推定されるように、ＵＥは、ＰＤＣＳＨ内の割り当てリソースの位置を通知される必要がある。割り当てられた通信リソースの位置をＵＥに通知するために、ダウンリンクのリソース割り当てを指定するリソース制御情報が、ダウンリンク制御情報（ＤＣＩ）と呼ばれる形式で、ＰＤＣＣＨにわたって伝達され、ＰＤＳＣＨに対するリソース割り当ては、同一サブフレーム内の先行のＰＤＣＣＨインスタンスにおいて通信される。リソース割り当て手続きの間、ＵＥは、ＵＥ宛のＤＣＩ用ＰＤＣＣＨを監視し、そのようなＤＣＩが検出されると、ＤＣＩを受信し、ＰＤＳＣＨの関連する部分からデータを検出及び推定する。
【００４８】
各アップリンクサブフレームは、複数の異なるチャネル、例えば、物理アップリンク共有チャネル（ＰＵＳＣＨ）３０５、物理アップリンク制御チャネル（ＰＵＣＣＨ）３０６、及び物理ランダムアクセスチャネル（ＰＲＡＣＨ）を含む。物理アップリンク制御チャネル（ＰＵＣＣＨ）は、例えば、ダウンリンク送信用のｅＮｏｄｅＢへのＡＣＫ／ＮＡＣＫ、アップリンクリソースのスケジューリングを希望するＵＥに対するスケジューリング要求指標（ＳＲＩ）、及びダウンリンクチャネル状態情報（ＣＳＩ）のフィードバックなどの、制御情報を搬送してもよい。ＰＵＳＣＨは、ＵＥアップリンクデータ、又は何らかのアップリンク制御データを搬送してもよい。ＰＵＳＣＨのリソースは、ＰＤＣＣＨを介して許可され、そのような許可は、典型的には、ＵＥにおいてバッファ内で送信準備されたデータの量をネットワークに通信することによってトリガされる。ＰＲＡＣＨは、システム情報ブロックなどのダウンリンクシグナリングにおいてＵＥにシグナリングされてもよく、複数のＰＲＡＣＨパターンのうちの１つに従って、アップリンクフレームのリソースのうちのいずれかにおいてスケジューリングされてもよい。物理アップリンクチャネルと同様、アップリンクサブフレームもまた、参照信号を含んでもよい。例えば、復調参照信号（ＤＭＲＳ）３０７及びサウンディング参照信号（ＳＲＳ）３０８は、ＰＵＳＣＨが送信されるスロットの第４のシンボルをＤＭＲＳが占有するアップリンクサブフレーム内に存在してもよく、ＰＵＣＣＨ及びＰＵＳＣＨのデータの復号に使用される。その場合に、ＳＲＳは、ｅＮｏｄｅＢにおけるアップリンクチャネル推定に使用される。ＬＴＥシステムの物理チャネルの構造及び機能に関するさらなる情報は、［１］において理解される。
【００４９】
ＰＤＳＣＨのリソースに類似の方式で、ＰＵＳＣＨのリソースは、サービングｅＮｏｄｅＢによってスケジューリングされ、又は許可される必要があり、よって、データがＵＥによって送信されるべき場合、ＰＵＳＣＨのリソースは、ｅＮＢによってＵＥに許可される必要がある。ＵＥにおいて、ＰＵＳＣＨリソース割り当ては、そのサービングｅＮｏｄｅＢへの、スケジューリング要求又はバッファ状態報告の送信によって実現される。スケジューリング要求は、ＵＥがバッファ状態報告を送信するための十分なアップリンクリソースがないとき、ＵＥに対する既存のＰＵＳＣＨ割り当てがないときにＰＵＣＣＨ上でのアップリンク制御情報（ＵＣＩ）の送信を介して、又はＵＥに対する既存のＰＵＳＣＨ割り当てがあるときにＰＵＳＣＨ上の直接送信によって、行われてもよい。スケジューリング要求に応答して、ｅＮｏｄｅＢは、バッファ状態報告を移送するのに十分なＰＵＳＣＨリソースの一部を要求するＵＥに割り当て、次いで、ＵＥに、ＰＤＣＣＨにおいてＤＣＩを介してバッファ状態報告リソース割り当てを通知するように構成される。ＵＥがバッファ状態報告を送信するのに適当なＰＵＳＣＨを有する場合、又は一度有した場合、バッファ状態報告は、ｅＮｏｄｅＢに送信され、アップリンクバッファ又はＵＥにおけるバッファ内のデータ量に関する情報をｅＮｏｄｅＢに与える。バッファ状態報告を受信後、ｅＮｏｄｅＢは、そのバッファされたアップリンクデータのうちのいくつかを送信するために、ＰＵＳＣＨリソースの一部を送信側ＵＥに割り当て、次いで、ＰＤＣＣＨにおいてＤＣＩを介してリソース割り当てをＵＥに通知することができる。例えば、ＵＥがｅＮｏｄｅＢとの接続を有すると仮定すると、ＵＥは、まず、ＵＣＩの形式で、ＰＵＣＣＨにおいてＰＵＳＣＨリソース要求を送信することとなる。次いで、ＵＥは、適当なＤＣＩ用のＰＤＣＣＨを監視し、ＰＵＳＣＨリソース割り当ての詳細を抽出し、アップリンクデータを送信することとなる。割り当てられたリソース内には、初めにバッファ状態報告を含み、及び／又は、後にバッファされたデータの一部を含む。
【００５０】
構造においてはダウンリンクサブフレームに類似しているが、アップリンクサブフレームは、ダウンリンクサブフレームに対して異なる制御構造を有する。特に、アップリンクサブフレームの上位３０９及び下位３１０のサブキャリア／周波数／リソースブロックは、ダウンリンクサブフレームの最初のシンボルではなく、制御シグナリングのために予約される。さらに、ダウンリンク及びアップリンクのためのリソース割り当て手続きは、比較的類似しているが、割り当てられ得るリソースの実際の構造は、ダウンリンク及びアップリンクそれぞれで使用される、ＯＦＤＭ及びＳＣ−ＦＤＭインタフェースの異なる特性によって変化してもよい。ＯＦＤＭでは、各サブキャリアは個別に変調され、したがって、周波数／サブキャリアの割り当てが連続している必要はないが、ＳＣ−ＦＤＭでは、サブキャリアは組み合わされて変調され、したがって、利用可能なリソースの効率的な使用が行われなければならない場合、各ＵＥに対し連続した周波数割り当てが好ましい。
【００５１】
上述のワイヤレスインタフェースの構造及び動作の結果として、１つ又は複数のＵＥが、協調ｅＮｏｄｅＢを介して互いにデータを通信してもよく、したがって従来のセルラ通信システムを形成する。以前にリリースされたＬＴＥ規格に基づくものなどのセルラ通信システムは、商業的に成功しているが、多くの欠点がこのような集中型システムに関連している。例えば、極めて近くにある２つのＵＥが互いに通信したい場合、データを伝達するために十分なアップリンク及びダウンリンクリソースが必要とされる。これにより、システムのリソースの２つの部分が、データの１つの部分を伝達するために使用される。第２の欠点は、ＵＥが互いに通信したい場合に、極めて近くにある場合であっても、ｅＮｏｄｅＢが必要とされることである。システムが高負荷を経験しているとき、又は、例えばｅＮｏｄｅＢが遠隔地にある、若しくはｅＮｏｄｅＢが正しく機能していないときなど、ｅＮｏｄｅＢのカバレッジが利用できないときに、これらの制限が問題となる可能性がある。これらの制限を克服することは、ＬＴＥネットワークの容量及び効率性の両方を向上させるだけでなく、ＬＴＥネットワーク事業者のための新たな収益の可能性の創出につながり得る。
【００５２】
以下の番号の条項は、さらなる本技術の態様及び機能の例を提供する。
【００５３】
条項１．
デバイスツーデバイス通信を実行するために、ワイヤレスアクセスインタフェースを介して１つ又は複数の他の通信デバイスに信号を送信するように構成される送信機であって、インフラ機器の無線カバレッジエリア内にあるときに、ワイヤレスアクセスインタフェースが、モバイル通信ネットワークのインフラ機器に信号を送信するために提供される、送信機と、
ワイヤレスアクセスインタフェースを介して１つ又は複数の他の通信デバイスから信号を受信するように構成される受信機であって、インフラ機器の無線カバレッジエリア内にあるときに、ワイヤレスアクセスインタフェースが、モバイル通信ネットワークのインフラ機器から信号を受信するために提供される、受信機と、
信号によって表されるデータを送信又は受信するためのワイヤレスアクセスインタフェースを介して、信号を送信又は受信する送信機及び受信機を制御するためのコントローラと、を備え、
所定の条件に従って、コントローラが、
カバレッジ外にあり、そのために受信機が、インフラ機器から信号を受信することができない、若しくはインフラ機器に信号を送信することができないときに、通信デバイス用の中継ノードの役割をし得る１つ若しくは複数の他のカバレッジ内通信デバイスから、１つ若しくは複数のビーコン信号を受信し、又は、
カバレッジ外にあるときに、通信デバイス用の中継ノードの役割をし得る１つ又は複数の他のカバレッジ内通信デバイスにビーコン信号を送信し、及び、
インフラ機器にデータを送信するためのターゲット中継ノードの役割をする他のカバレッジ内通信デバイスのうちの１つにデータを表す信号を送信し、又は、
ターゲット中継ノードの役割をする他のカバレッジ内通信デバイスのうちの１つから、インフラ機器から受信された、データを表す信号を受信するように、送信機及び受信機を組み合わせて構成される、通信デバイス。
【００５４】
条項２．コントローラが、
通信デバイス用のソース中継ノードの役割をする第１のカバレッジ内通信デバイスに、データを表す信号を送信し、第１のカバレッジ内通信デバイスが、モバイル通信ネットワークのインフラ機器に信号を送信することが可能であり、
ソース中継ノードの役割をする第１のカバレッジ内通信デバイスからデータを表す信号を受信し、ソース中継ノードが、モバイル通信ネットワークのインフラ機器のカバレッジエリア内にあり、ソース中継ノードが、インフラ機器に通信デバイスから受信されるデータを表す信号を送信し、インフラ機器から受信されるデータを表す信号を、通信デバイスに送信するように構成される、送信機及び受信機で構成される、条項１に記載の通信デバイス。
【００５５】
条項３．コントローラが、
受信したビーコン信号のうちの１つを比較し、
ターゲット中継ノードの役割をするように、カバレッジ内通信デバイスのうちの１つを選択するように構成される、条項１又は２に記載の通信デバイス。
【００５６】
条項４．コントローラが、
ターゲット中継ノードの役割をするように、カバレッジ内通信デバイスのうちの選択された１つのカバレッジ内通信デバイスの、インフラ機器に通信するための中継ノードの役割をするカバレッジ内通信デバイスに標識を送信するように、送信機と組み合わせて構成される、条項３に記載の通信デバイス。
【００５７】
条項５．コントローラが、ターゲット中継ノードの役割をするように、カバレッジ内通信デバイスのうちの選択された１つのカバレッジ内通信デバイスの標識を、カバレッジ内通信デバイスのうちの選択された１つのカバレッジ内通信デバイスによるインフラ機器への送信のためのカバレッジ内通信デバイスのうちの選択された１つのカバレッジ内通信デバイスに送信するように、送信機と組み合わせて構成される、条項４に記載の通信デバイス。
【００５８】
条項６．コントローラが、ターゲット中継ノードの役割をするように、カバレッジ内通信デバイスのうちの選択された１つのカバレッジ内通信デバイスの標識を、カバレッジ内通信デバイスのうちの第１のカバレッジ内通信デバイスによるインフラ機器への送信のためのカバレッジ内通信デバイスのうちの第１のカバレッジ内通信デバイスに送信するように、送信機と組み合わせて構成される、条項４に記載の通信デバイス。
【００５９】
条項７．コントローラが、
中継ノードの役割をし得る１つ又は複数の他のカバレッジ内通信デバイスから受信されるビーコン信号の相対的強度を、ソース中継ノードの役割をする第１のカバレッジ内通信デバイスを介してインフラ機器に送信し、
ターゲット中継ノードとして通信デバイスのために動作するべき他のカバレッジ内通信デバイスのうちの１つのカバレッジ内通信デバイスの標識を、ソース中継ノードの役割をする第１のカバレッジ内通信デバイスを介して、インフラ機器から受信するように、送信機と組み合わせて構成される、条項１又は２に記載の通信デバイス。
【００６０】
条項８．所定の条件が、第１のカバレッジ内通信デバイスから受信され、又は第１のカバレッジ内通信デバイスに送信されるデータの通信品質を含む、条項１〜７のいずれか１項に記載の通信デバイス。
【００６１】
条項９．所定の条件が、カバレッジ内通信デバイスのうちの第１のカバレッジ内通信デバイスから受信した信号の信号強度が、所定の閾値より下がることを含む、条項１〜７のいずれか１項に記載の通信デバイス。
【００６２】
条項１０．
デバイスツーデバイス通信を実行するために、ワイヤレスアクセスインタフェースを介して１つ又は複数の他の通信デバイスに信号を送信し、インフラ機器の無線カバレッジエリア内にあるときに、モバイル通信ネットワークのインフラ機器にワイヤレスアクセスインタフェースを介して信号を送信するように構成される、送信機と、
ワイヤレスアクセスインタフェースを介して、１つ又は複数の他の通信デバイスから信号を受信し、インフラ機器の無線カバレッジエリア内にあるときに、モバイル通信ネットワークのインフラ機器からワイヤレスアクセスインタフェースを介して信号を受信するように構成される、受信機と、
信号によって表されるデータを送信又は受信するために、ワイヤレスアクセスインタフェースを介して信号を送信又は受信する、送信機及び受信機を制御するためのコントローラと、を備え、送信機及び受信機が、
通信デバイスがカバレッジ外通信デバイス用のターゲット中継ノードの役割をするカバレッジ内通信デバイスであるという標識を受信し、
モバイル通信ネットワークのインフラ機器に対し、デバイスツーデバイス通信に従って、カバレッジ外通信デバイスからアップリンクデータを表す信号を受信し、及び、
アップリンクデータを表す信号をインフラ機器に送信し、又は
ダウンリンクデータを表す信号をインフラ機器から受信し、及び、
デバイスツーデバイス通信に従って、ダウンリンクデータを表す信号をカバレッジ外通信デバイスに送信するように、コントローラを用いて構成される、通信デバイス。
【００６３】
条項１１．通信デバイスがカバレッジ外通信デバイス用の中継ノードの役割をするカバレッジ内通信デバイスであるという標識が、カバレッジ外通信デバイスからアップリンクデータを受信することを含み、カバレッジ外通信デバイスが、通信デバイスをターゲット中継ノードとして選択する、条項１０に記載の通信デバイス。
【００６４】
条項１２．通信デバイスがカバレッジ外通信デバイス用の中継ノードの役割をするカバレッジ内通信デバイスであるという標識が、インフラ機器から標識を受信することを含む、条項１０に記載の通信デバイス。
【００６５】
条項１３．送信機及び受信機を組み合わせたコントローラが、
カバレッジ外通信デバイスによって送信されるビーコン信号を受信し、
受信したビーコン信号の信号強度を判断し、
受信したビーコン信号の信号強度の標識を、カバレッジ外通信デバイス又はインフラ機器のうちの１つに送信するように構成される、条項１０、１１、又は１２に記載の通信デバイス。
【００６６】
条項１４．送信機及び受信機を組み合わせたコントローラが、
カバレッジ外通信デバイスから、ビーコン信号を送信するための要求を受信し、
デバイスツーデバイス通信プロトコルに従って、ビーコン信号をカバレッジ外通信デバイスに送信し、通信デバイスが、カバレッジ外通信デバイスによって受信されるビーコン信号に従って、カバレッジ外通信デバイス又はインフラ機器によって、カバレッジ外通信デバイス用のターゲット中継ノードの役割をするように選択されるように構成される、条項１０、１１、又は１２に記載の通信デバイス。
【００６７】
条項１５．
デバイスツーデバイス通信を実行するために、ワイヤレスアクセスインタフェースを介して１つ又は複数の他の通信デバイスに信号を送信し、インフラ機器の無線カバレッジエリア内にあるときに、モバイル通信ネットワークのインフラ機器にワイヤレスアクセスインタフェースを介して信号を送信するように構成される、送信機と、
ワイヤレスアクセスインタフェースを介して、１つ又は複数の他の通信デバイスから信号を受信し、インフラ機器の無線カバレッジエリア内にあるときに、モバイル通信ネットワークのインフラ機器からワイヤレスアクセスインタフェースを介して信号を受信するように構成される、受信機と、
信号によって表されるデータを送信又は受信するために、ワイヤレスアクセスインタフェースを介して信号を送信又は受信する、送信機及び受信機を制御するためのコントローラと、を備え、送信機及び受信機は、
モバイル通信ネットワークのインフラ機器に対し、デバイスツーデバイス通信に従って、カバレッジ外通信デバイスからアップリンクデータを表す信号を受信し、及び、
アップリンクデータを表す信号をインフラ機器に送信し、又は
ダウンリンクデータを表す信号をインフラ機器から受信し、及び、
カバレッジ外通信デバイスへのソース中継の役割をするように、デバイスツーデバイス通信に従って、ダウンリンクデータを表す信号をカバレッジ外通信デバイスに送信し、
所定の条件に従って、
１つ又は複数の他のカバレッジ内通信デバイスから受信したビーコン信号の信号品質に基づいて、１つ又は複数の他のカバレッジ内通信デバイスのうちの１つが、カバレッジ外通信デバイス用のターゲット中継の役割をするように選択され得るように、１つ又は複数の他のカバレッジ内通信デバイス又はインフラ機器に、カバレッジ外通信デバイスにビーコン信号を送信するための要求を送信するように、コントローラを用いて構成される、通信デバイス。
【００６８】
条項１６．所定の条件は、受信機によって受信される１つ又は複数の信号の信号品質、又は送信機によって送信された信号の、受信機によって受信されるカバレッジ外通信デバイスによって受信した信号品質が、所定の閾値より下がることの標識を含む、条項１５に記載の通信デバイス。
【００６９】
条項１７．コントローラが、
カバレッジ外通信デバイスから、１つ又は複数の他のカバレッジ内通信デバイスのそれぞれからカバレッジ外通信デバイスによって受信した、ビーコン信号の受信信号強度の、標識を受信し、
ターゲット中継ノードの役割をする１つ又は複数のカバレッジ内通信デバイスのうちの１つを選択するために、ビーコン信号の受信信号強度の標識のそれぞれをインフラ機器に送信するように、送信機及び受信機を組み合わせて構成される、条項１５又は１６に記載の通信デバイス。
【００７０】
（参考）
［１］LTE  for  UMTS:OFDMA  and  SC-FDMA  Based  Radio  Access,  Harris  Holma  and  Antti  Toskala,  Wiley  2009,  ISBN  978-0-470-99401-6
［２］“LTE  Device  to  Device  Proximity  Services  -  Radio  Aspects”  described  in  RP-122009
［３］3GPP  technical  report  36.843
［４］ftp://ftp.3gpp.org/tsg_ran/TSG_RAN/TSGR_66/Docs/RP-142229.zip
［５］EP14184600.6
［６］PCT/2014/078087
［７］PCT/2014/078093
［８］PCT/2014/079338
［９］PCT/2014/077447
［１０］PCT/2014/077396
［１１］PCT/2014/079335
【図１】
0006680792.tif 000002
【図２】
0006680792.tif 000003
【図３】
0006680792.tif 000004
【図４】
0006680792.tif 000005
【図５】
0006680792.tif 000006
【図６】
0006680792.tif 000007
【図７】
0006680792.tif 000008
【図８】
0006680792.tif 000009
【図９】
0006680792.tif 000010
【図１０】
0006680792.tif 000011
【図１１】
0006680792.tif 000012
【図１２】
0006680792.tif 000013
【図１３】
0006680792.tif 000014